(57)【要約】【課題】ワンシート基板上に形成されるパネルの数に係らず、ワンシート検査を遂行することができる、ワンシート検査装置及びその検査方法を提供する。【解決手段】本発明は、複数のパネルが形成されたワンシート基板と、複数のパネルを検査するための複数の信号グループ及び複数のダミー信号を生成する信号供給部と、複数の信号グループのうちの一つの信号グループを複数のパネルのうちの対応する一つに伝達し、複数のパネルの数が複数の信号グループの数より多い場合には、複数の信号グループのうちの少なくとも一つの信号グループの複数の信号を複数のパネルのうちの少なくとも二つのパネルに伝達する連結ボードとを含む。【選択図】図１
2011085570.tif 000002
【特許請求の範囲】
【請求項１】
複数のパネルが形成されたワンシート基板；
前記複数のパネルを検査するための複数の信号グループ及び複数のダミー信号を生成する信号供給部；
前記複数の信号グループのうちの一つの信号グループを前記複数のパネルのうちの対応する一つに伝達し、前記複数のパネルの数が前記複数の信号グループの数より多い場合には、前記複数の信号グループのうちの少なくとも一つの信号グループの複数の信号を前記複数のパネルのうちの少なくとも二つのパネルに伝達する連結ボード；
を含む、ワンシート検査装置。
【請求項２】
前記複数の信号グループの各々は、赤色、緑色、及び青色データ信号、ゲート信号、電源信号を含む、請求項１に記載のワンシート検査装置。
【請求項３】
前記少なくとも一つの信号グループは、前記少なくとも二つのパネルのうちの一つのパネルに伝達される複数のダミー信号及び前記少なくとも二つのパネルのうちのもう一つに伝達される赤色、緑色、青色データ信号、ゲート信号、電源信号を含み、
前記複数のダミー信号の各々は、前記赤色、緑色、青色データ信号、及びゲート信号に対応する、請求項２に記載のワンシート検査装置。
【請求項４】
前記連結ボードは、前記複数のパネルの数が前記複数の信号グループの数より少ない場合には、前記複数の信号グループのうちの前記複数のパネルに対応する信号グループのみを出力する、請求項１に記載のワンシート検査装置。
【請求項５】
ワンシート基板を構成する複数のパネルを検査するための複数の信号グループ及び複数のダミー信号を生成する段階；
前記複数の信号グループのうちの一つの信号グループを前記複数のパネルのうちの対応する一つに伝達する段階；
前記複数のパネルの数が前記複数の信号グループの数より多い場合には、前記複数の信号グループのうちの少なくとも一つの信号グループの複数の信号を前記複数のパネルのうちの少なくとも二つのパネルに伝達する段階；
を含む、ワンシート検査装置の検査方法。
【請求項６】
前記複数の信号グループの各々は、赤色、緑色、及び青色データ信号、ゲート信号、電源信号を含む、請求項５に記載のワンシート検査装置の検査方法。
【請求項７】
前記複数のダミー信号を前記赤色、緑色、青色データ信号、及びゲート信号に対応するレベルに生成する段階をさらに含む、請求項６に記載のワンシート検査装置の検査方法。
【請求項８】
前記少なくとも一つの信号グループを前記複数のパネルのうちの少なくとも二つのパネルに伝達する段階は、
前記複数のダミー信号を前記少なくとも二つのパネルのうちの一つに伝達する段階；
前記少なくとも二つのパネルのうちのもう一つに前記赤色、緑色、青色データ信号、及びゲート信号を伝達する段階；
前記少なくとも二つのパネルに前記少なくとも一つの信号グループの電源信号を伝達する段階；
を含む、請求項７に記載のワンシート検査装置の検査方法。
【請求項９】
前記複数のパネルの数が前記複数の信号グループの数より少ない場合には、前記複数の信号グループのうちの前記複数のパネルに対応する信号グループのみを出力する段階をさらに含む、請求項５に記載のワンシート検査装置の検査方法。
【発明の詳細な説明】
【技術分野】
【０００１】
本発明は、ワンシート検査装置及びその検査方法に関する技術である。
【背景技術】
【０００２】
一般に、有機発光表示装置（Ｏｒｇａｎｉｃ  Ｌｉｇｈｔ  Ｅｍｉｔｔｉｎｇ  Ｄｉｓｐｌａｙ）の多数のパネルは、一つの基板（以下、ワンシート基板）上に形成された後、スクライビング（ｓｃｒｉｂｉｎｇ）されて、個々のパネルに分離される。このようなパネルは、ワンシート基板から切断及び分離される前に、ワンシート基板状態でパネル単位の点灯工程やパネル単位の検査工程、またはエイジング（ａｇｉｎｇ）工程などが進められる。上記のような工程において、各パネルを駆動させるためにワンシート基板の側面から共通配線によってワンシート基板に信号を供給する。
【０００３】
しかし、最近、製品開発モデルが多様化されることにより、ワンシート基板上に形成されるパネルの大きさ及び個数が変化している。既存のワンシート検査装備は、限定された大きさ及び個数のパネルを検査することができるように設計されているため、パネルの大きさ及び個数が変化すると、ワンシート検査が不可能になる問題点がある。これを解決するためには、装備を改造したり、新たに設計しなければならないので、費用が増加する。
【発明の概要】
【発明が解決しようとする課題】
【０００４】
本発明は、上記の問題点を解決するためのものであって、本発明の目的は、ワンシート基板上に形成されるパネルの数に係らず、ワンシート検査を遂行することができる、ワンシート検査装置及びその検査方法を提供することである。
【課題を解決するための手段】
【０００５】
本発明によるワンシート検査装置は、複数のパネルが形成されたワンシート基板；前記複数のパネルを検査するための複数の信号グループ及び複数のダミー信号を生成する信号供給部；前記複数の信号グループのうちの一つの信号グループを前記複数のパネルのうちの対応する一つに伝達し、前記複数のパネルの数が前記複数の信号グループの数より多い場合には、前記複数の信号グループのうちの少なくとも一つの信号グループの複数の信号を前記複数のパネルのうちの少なくとも二つのパネルに伝達する連結ボード；を含む。ここで、前記複数の信号グループの各々は、赤色、緑色、及び青色データ信号、ゲート信号、電源信号を含む。前記少なくとも一つの信号グループは、前記少なくとも二つのパネルのうちの一つのパネルに伝達される複数のダミー信号及び前記少なくとも二つのパネルのうちのもう一つに伝達される赤色、緑色、青色データ信号、ゲート信号、電源信号を含み、前記複数のダミー信号の各々は、前記赤色、緑色、青色データ信号、及びゲート信号に対応する。前記連結ボードは、前記複数のパネルの数が前記複数の信号グループの数より少ない場合には、前記複数の信号グループのうちの前記複数のパネルに対応する信号グループのみを出力する。
【０００６】
また、本発明によるワンシート検査装置の検査方法は、ワンシート基板を構成する複数のパネルを検査するための複数の信号グループ及び複数のダミー信号を生成する段階；前記複数の信号グループのうちの一つの信号グループを前記複数のパネルのうちの対応する一つに伝達する段階；前記複数のパネルの数が前記複数の信号グループの数より多い場合には、前記複数の信号グループのうちの少なくとも一つの信号グループの複数の信号を前記複数のパネルのうちの少なくとも二つのパネルに伝達する段階；を含む。ここで、前記複数の信号グループの各々は、赤色、緑色、及び青色データ信号、ゲート信号、電源信号を含む。前記複数のダミー信号を前記赤色、緑色、青色データ信号、及びゲート信号に対応するレベルに生成する段階をさらに含む。前記少なくとも一つの信号グループを前記複数のパネルのうちの少なくとも二つのパネルに伝達する段階は、前記複数のダミー信号を前記少なくとも二つのパネルのうちの一つに伝達する段階；前記少なくとも二つのパネルのうちのもう一つに前記赤色、緑色、青色データ信号、及びゲート信号を伝達する段階；前記少なくとも二つのパネルに前記少なくとも一つの信号グループの電源信号を伝達する段階；を含む。前記複数のパネルの数が前記複数の信号グループの数より少ない場合には、前記複数の信号グループのうちの前記複数のパネルに対応する信号グループのみを出力する段階をさらに含む。
【発明の効果】
【０００７】
本発明の特徴によれば、ワンシート基板上に形成されるパネルの数に係らず、ワンシート検査を遂行することができる効果を提供する。
【図面の簡単な説明】
【０００８】
【図１】本発明の実施形態によるワンシート検査装置を示した図面である。
【図２】本発明の実施形態によるワンシート検査装置の検査方法を説明するための図面である。
【図３】本発明の実施形態によるワンシート検査装置の検査方法を説明するための図面である。
【図４】本発明の実施形態によるワンシート検査装置の検査方法を説明するための図面である。
【図５】本発明の実施形態によるワンシート検査装置の検査方法を説明するための図面である。
【発明を実施するための形態】
【０００９】
以下、添付した図面を参照して、本発明の実施形態について、本発明が属する技術分野における通常の知識を有する者が容易に実施できるように詳しく説明する。
【００１０】
しかし、本発明は多様な異なる形態に具現され、ここで説明する実施形態に限られない。図面では、本発明を明確に説明するために、説明に不要な部分は省略し、明細書全体にわたって類似した部分については、類似した図面符号を付けた。
明細書全体において、ある部分が他の部分と「連結」されているとする時、これは「直接的に連結」されている場合だけでなく、その中間に他の素子をおいて「電気的に連結」されている場合も含む。
また、ある部分がある構成要素を「含む」とする時、これは特に反対になる記載がない限り、他の構成要素を除くのではなく、他の構成要素をさらに含むことができることを意味する。
【００１１】
図１は本発明の実施形態によるワンシート検査装置を示した図面である。
図１を参照すれば、本発明のワンシート検査装置は、信号供給部（Signal supplier）１００、連結ボード（Connection board）２００、ワンシート基板（One-sheet substrate）３００、及び連結制御部（Connection controller）４００を含む。信号供給部１００は、ワンシート基板３００を構成する複数のセルを検査するための複数のテスト信号を生成する。信号供給部１００の出力ピンの数は、信号供給部１００の設計段階で決定される。信号供給部１００の各出力ピンからは一つの信号が出力され、本発明の実施形態では、２８個の出力ピンを有する信号供給部１００を示したが、これは説明の便宜のためのもので、本発明がこれに限定されるのではない。
【００１２】
信号供給部１００は、複数のデータ信号（ＶＲ１〜ＶＲ４、ＶＧ１〜ＶＧ４、ＶＢ１〜ＶＢ４）、第１電源信号（ＥＬＶＤＤ）、複数の第２電源信号（ＥＬＶＳＳ１〜ＥＬＶＳＳ４）、及び複数のゲート信号（ＶＧＡＴＥ１〜ＶＧＡＴＥ４）を生成する。ワンシート検査時に、第１電源信号（ＥＬＶＤＤ）は、ワンシート基板３００の複数のセルのうちの一つに選択的に供給される。第１電源信号（ＥＬＶＤＤ）が伝達されるラインの電流を感知して、第１電源信号（ＥＬＶＤＤ）が供給されるセルの異常有無を判断することができる。
【００１３】
複数のデータ信号（ＶＲ１〜ＶＲ４、ＶＧ１〜ＶＧ４、ＶＢ１〜ＶＢ４）の各々は、ワンシート基板３００を構成する複数のセルのうちの対応するセルの複数の赤色副画素に供給される赤色データ信号（ＶＲ１〜ＶＲ４）、ワンシート基板３００を構成する複数のセルのうちの対応するセルの複数の緑色副画素に供給される緑色データ信号（ＶＧ１〜ＶＧ４）、及びワンシート基板３００を構成する複数のセルのうちの対応するセルの複数の青色副画素に供給される青色データ信号（ＶＢ１〜ＶＢ４）を含む。複数の第２電源信号（ＥＬＶＳＳ１〜ＥＬＶＳＳ４）の各々は、ワンシート基板３００を構成する複数のセルのうちの対応するセルの複数の画素を駆動するための信号である。複数のゲート信号（ＶＧＡＴＥ１〜ＶＧＡＴＥ４）は、ワンシート基板３００を構成する複数のセルのうちの対応するセルの複数の画素に当該データ信号を伝達するための信号である。信号供給部１００は、複数のダミー信号（ＶＤＭ１〜ＶＤＭ４）をさらに出力することができる。本発明の実施形態では、このような複数のダミー信号（ＶＤＭ１〜ＶＤＭ４）を用いて、信号供給部１００から出力されるテスト信号のグループよりさらに多数のセルを含むワンシート基板３００を検査することができる。
【００１４】
以下、信号供給部１００から出力される複数のテスト信号のうちの一つのセル（以下、パネルという）を検査するための複数のテスト信号を一つの信号グループと定義して説明する。例えば、第１信号グループは、赤色、緑色、及び青色データ信号（ＶＲ１、ＶＧ１、ＶＢ１）、第２電源信号（ＥＬＶＳＳ１）、及びゲート信号（ＶＧＡＴＥ１）を含み、第２信号グループは、赤色、緑色、及び青色データ信号（ＶＲ２、ＶＧ２、ＶＢ２）、第２電源信号（ＥＬＶＳＳ２）、及びゲート信号（ＶＧＡＴＥ２）を含む。つまり、本発明の実施形態による信号供給部１００は、４つの信号グループ及び４つのダミー信号（ＶＤＭ１〜ＶＤＭ４）を生成する。
【００１５】
連結ボード２００は、連結制御部４００によって制御されて、複数の信号グループをワンシート基板３００を構成する複数のパネルのうちの対応する一つに伝達する。連結制御部４００は、複数の信号グループの数とワンシート基板３００を構成する複数のパネルの数とによって連結ボード２００から出力される信号グループを決定する。これに対する具体的な説明は、図２乃至図５を参照して説明する。
【００１６】
図２〜図５は本発明の実施形態によるワンシート検査装置の検査方法を説明するための図面である。ここで、図２はワンシート基板３００上に４つのパネルが形成された場合に、連結ボード２００とワンシート基板３００との間の連結関係を説明するために概略的に示したものである。図３は図２に示された第１パネル３００_１に含まれている赤色副画素の等価回路図である。図４はワンシート基板３００上に３つのパネルが形成されたことを示したものであり、図５はワンシート基板３００上に５つのパネルが形成されたことを示したものである。図２〜図５に示されたパネルは、説明の便宜のために一つの列だけを示したが、本発明はこれに限定されるのではなく、複数の列を含むことができる。
【００１７】
先ず、図２を参照すれば、ワンシート基板３００上に第１〜第４パネル３００_１〜３００_４及び第１〜第４パネル３００_１〜３００_４の各々に信号を伝達するための複数のパッドが形成されている。第１〜第４パネル３００_１〜３００_４の各々は、複数の画素（ＰＸ）を含む。各画素（ＰＸ）は、３つの副画素、つまり赤色副画素（ＰＸ_Ｒ）、緑色副画素（ＰＸ_Ｇ）、及び青色副画素（ＰＸ_Ｂ）から構成される。
【００１８】
各画素（ＰＸ）、例えば第１パネル３００_１に含まれている赤色副画素（ＰＸ_Ｒ）は、図３に示されているように、有機発光ダイオード（ｏｒｇａｎｉｃ  ｌｉｇｈｔ  ｅｍｉｔｔｉｎｇ  ｄｉｏｄｅ、ＯＬＥＤ）、駆動トランジスターＭ１、キャパシタＣｓｔ、スイッチングトランジスターＭ２、及び発光制御トランジスターＭ３を含む。駆動トランジスターＭ１は、ソース端子で第１電源信号（ＥＬＶＤＤ１）を受信し、ドレイン端子は、有機発光ダイオードＯＬＥＤのアノード端子と連結されている。駆動トランジスターＭ１のゲート端子は、スイッチングトランジスターＭ２のドレイン端子と連結されている。駆動トランジスターＭ１は、ゲート端子とドレイン端子との間にかかる電圧により大きさが変わる電流（ＩＯＬＥＤ）を有機発光ダイオード（ＯＬＥＤ）に流す。スイッチングトランジスターＭ２は、ゲート端子で第１ゲート信号（ＶＧＡＴＥ１）を受信し、ソース端子で第１赤色データ信号（ＶＲ１）を受信する。スイッチングトランジスター（Ｍ２）は、第１ゲート信号（ＶＧＡＴＥ１）に応答してスイッチング動作し、スイッチングトランジスター（Ｍ２）がターンオンすれば、第１赤色データ信号（ＶＲ１）に対応する電圧が駆動トランジスター（Ｍ１）のゲート端子に伝達される。キャパシタ（Ｃｓｔ）は、駆動トランジスター（Ｍ１）のソース端子とゲート端子との間に連結されている。キャパシタ（Ｃｓｔ）は、駆動トランジスター（Ｍ１）のゲート端子に印加されるデータ電圧を充電し、スイッチングトランジスター（Ｍ２）がターンオフされた後にもこれを維持する。有機発光ダイオー（ＯＬＥＤ）は、カソード端子で第２電源信号（ＥＬＶＳＳ１）を受信する。有機発光ダイオード（ＯＬＥＤ）は、駆動トランジスター（Ｍ１）が供給する電流（ＩＯＬＥＤ）に応じて異なる強さで発光する。
【００１９】
連結制御部４００は、図２に示されているように、ワンシート基板３００を構成するパネルの数が信号グループの数と１:１に対応する場合に、第１〜第４信号グループが全て出力されるように連結ボード２００を制御する。具体的に、連結制御部４００は、連結ボード２００から第１信号グループ、つまり赤色、緑色、及び青色データ信号（ＶＲ１、ＶＧ１、ＶＢ１）、第２電源信号（ＥＬＶＳＳ１）、及びゲート信号（ＶＧＡＴＥ１）が第１パネル３００_１と連結された複数のパッド（Ｐ１〜Ｐ５）に伝達されるように連結ボード２００を制御する。このような方式で、連結制御部４００は、第２〜第４信号グループの各々の信号が対応する第２〜第４パネル３００_２〜３００_４と連結された複数のパッドの各々に伝達されるように連結ボード２００を制御する。この時、連結制御部４００は、複数のダミー信号（ＶＤＭ１〜ＶＤＭ４）がいずれのパッドにも伝達されないように連結ボード２００を制御する。
【００２０】
その反面、図４に示されているように、ワンシート基板３００のパネルの数が信号グループの数より少ない場合には、連結制御部４００は、パネルの数に対応する信号グループだけが出力されるように連結ボード２００を制御する。具体的に、連結制御部４００は、連結ボード２００から第１信号グループの各々の信号が第１パネル３００_１と連結された複数のパッド（Ｐ１１〜Ｐ１５）に伝達されるように連結ボード２００を制御する。そして、連結制御部４００は、第２及び第３信号グループの各々の信号が対応する第２及び第３パネル３００_２〜３００_３の複数のパッドの各々に伝達されるように連結ボード２００を制御する。この時、連結制御部４００は、第４信号グループ及び複数のダミー信号（ＶＤＭ１〜ＶＤＭ４）がいずれのパッドにも伝達されないように連結ボード２００を制御する。
【００２１】
一方、図５に示されているように、ワンシート基板３００のパネルの数が信号グループの数より多い場合には、連結制御部４００は、第１〜第４信号グループがワンシート基板３００の各パネルに伝達されるように連結ボード２００を制御する。この時、第１〜第４信号グループのうちのいずれか一つは、複数のダミー信号（ＶＤＭ１〜ＶＤＭ４）を含んで少なくとも二つのパネルに伝達される。具体的に、連結制御部４００は、第１信号グループの各々の信号が第１パネル３００_１に連結された複数のパッド（Ｐ２１〜Ｐ２５）に伝達されるように連結ボード２００を制御する。同様に、連結制御部４００は、第２及び第３信号グループの各々の信号が対応する第２及び第３パネル３００_２、３００_３に連結された複数のパッドの各々に伝達されるように連結ボード２００を制御する。そして、連結制御部４００は、第４信号グループが第４及び第５パネル３００_４、３００_５に伝達されるように連結ボード２００を制御する。ここで、第４信号グループは、第４パネル３００_４に連結された複数のパッドの各々に伝達される赤色、緑色、及び青色データ信号（ＶＲ４、ＶＧ４、ＶＢ４）、及びゲート信号（ＶＧＡＴＥ４）だけでなく、第５パネル３００_５に連結された複数のパッドの各々に伝達される複数のダミー信号（ＶＤＭ１〜ＶＤＭ４）を含む。この時、複数のダミー信号（ＶＤＭ１〜ＶＤＭ４）の各々は、赤色、緑色、及び青色データ信号（ＶＲ５、ＶＧ５、ＶＢ５）、及びゲート信号（ＶＧＡＴＥ５）レベルに生成される。そして、第４信号グループの第２電源信号（ＥＬＶＳＳ４）は、第４及び第５パネル３００_４、３００_５に連結された複数のパッドの各々に共通に伝達される。従って、本発明は、ワンシート基板３００上に形成されるパネルの数により信号生成部１００及び連結ボード２００の出力ピンの数を増減させる必要がなく、多様な数のパネルに対するワンシート検査を実施することができる。
【００２２】
以上で、本発明の実施形態に対して詳細に説明したが、本発明の権利範囲はこれに限定されるのではなく、請求範囲で定義している本発明の基本概念を利用した当業者による多様な変形及び改良形態も、本発明の権利範囲に属するものである。
【符号の説明】
【００２３】
１００                        信号供給部
２００                        連結ボード
３００                        ワンシート基板
４００                        連結制御部
３００_１〜３００_４          第１〜第４パネル
ＰＸ_Ｒ                     赤色副画素
ＰＸ_Ｇ                       緑色副画素
ＰＸ_Ｂ                       青色副画素
ＯＬＥＤ                      有機発光ダイオード
Ｍ１                          駆動トランジスター
Ｍ２                          スイッチングトランジスター
Ｍ３                          発光制御トランジスター 
Ｃｓｔ                        キャパシタ
ＶＲ１〜ＶＲ４、ＶＧ１〜ＶＧ４、ＶＢ１〜ＶＢ４  データ信号
ＥＬＶＤＤ                    第１電源信号
ＥＬＶＳＳ１〜ＥＬＶＳＳ４    第２電源信号
ＶＧＡＴＥ１〜ＶＧＡＴＥ４    ゲート信号
【図１】
2011085570.tif 000003
【図２】
2011085570.tif 000004
【図３】
2011085570.tif 000005
【図４】
2011085570.tif 000006
【図５】
2011085570.tif 000007